(57)【要約】      （修正有）【課題】内容物の飛散と蓋に付着した内容物が手などに付着することを防止する容器を提供する。【解決手段】内容物を入れる容器本体２とその中身を密閉する蓋１からなり、蓋１、又はそれと一体となった、容器本体２から切り離せる切り離し部分３に、内容物の飛散、及び蓋１に付着した内容物が手などに付着することを防止するシート４を取り付け、シート４が容器の開封時以外に折れ曲がることを防止する出っ張り５を容器本体２に設けた、又は取り付けた容器であり、蓋１、又はそれと一体となった切り離し部分３に、内容物の飛散、及び蓋１に付着した内容物が手などに付着することを防止するシート４を取り付けた容器。【選択図】図１
2014084174.tif 000002
【特許請求の範囲】
【請求項１】
内容物を入れる容器本体２とその中身を密閉する蓋１からなり、蓋１、又は蓋１と一体となった切り離し部分３に、内容物の飛散、及び蓋１に付着した内容物が手などに付着することを防止するシート４を取り付けた容器。
【請求項２】
シート４の折れ曲がりを防止する出っ張り５を容器本体２に設けた請求項１に記載の容器。
【請求項３】
シート４を格納する格納スペース８を容器本体２に設けた請求項１に記載の容器。
【発明の詳細な説明】
【技術分野】
【０００１】  本発明は、容器を開ける際の内容物の飛散を防止し、蓋についた内容物の手などへの付着を防止する容器に関するものである。
【背景技術】
【０００２】  コーヒー用クリームのポーションなど、液体などの内容物が入った容器を開ける際には、主に容器内と容器外の圧力差により内容物が飛散することがあった。
一方、容器の蓋に付着した内容物が手などに付着することもあった。
従来、内容物の飛散を防止するためには、容器に溝を設け、容器内と容器外の圧力差を解消するものがあった（特許文献１、特許文献２、特許文献４、特許文献５参照）。
また、蓋を二重にしたものがあった（特許文献３参照）。
また、突起により蓋に穴をあけるものがあった（特許文献６参照）。
また、特定の道具を使う方法があった（特許文献７、特許文献８参照）。
一方、容器の蓋に付着した内容物が手などに付着することについては、気を付ける以外の方法は特に見られなかった。
【特許文献１】  特開２００３−２８５８５４号公報
【特許文献２】  特開２００６−１８２３５５号公報
【特許文献３】  特開２００７−１１２５０６号公報
【特許文献４】  特開２００７−１７６５６６号公報
【特許文献５】  特開２０１２−９６８０１号公報
【特許文献６】  実用新案公開平７−３５３６４号公報
【特許文献７】  登録実用新案３１１４２７７号公報
【特許文献８】  登録実用新案３１４４５３０号公報
【発明の開示】
【発明が解決しようとする課題】
【０００３】  そのために、次のような問題点があった。
（イ）特許文献１、特許文献２、特許文献４、特許文献５のように容器のフランジ部分に溝を設けたものは溝と容器内部が繋がっている以上、内容物が溝に入り込み、十分な効果を得られない可能性が考えられた。また、溝を設けるためにフランジ部分を余分に厚くする必要があった。また、構造が複雑なものは、製造が困難なことが考えられた。
（ロ）特許文献３、特許文献６のように蓋をあけるために余分な動作を必要とするものは、その動作が面倒であるという可能性が考えられた。
（ハ）特許文献７、特許文献８のように道具を使う方法は道具を用意すること自体が面倒である可能性が考えられた。
（ニ）容器の蓋に付着した内容物が手などに付着することについては、気を付けることが面倒であり、また気を付けていても防げない可能性も高いことが考えられた。
【課題を解決するための手段】
【０００４】  内容物を入れる容器本体２とその中身を密閉する蓋１からなり、蓋１、又はそれと一体となった、容器本体２から切り離せる切り離し部分３に、内容物の飛散、及び蓋１に付着した内容物が手などに付着することを防止するシート４を取り付けた容器。
また、本発明の他の実施形態は、内容物を入れる容器本体２とその中身を密閉する蓋１からなり、蓋１、又はそれと一体となった、容器本体２から切り離せる切り離し部分３に、内容物の飛散、及び蓋１に付着した内容物が手などに付着することを防止するシート４を取り付け、シート４が容器の開封時以外に折れ曲がることを防止する出っ張り５を容器本体２に設けた、又は取り付けた容器。
また、本発明の他の実施形態は、内容物を入れる容器本体２とその中身を密閉する蓋１からなり、蓋１、又はそれと一体となった、容器本体２から切り離せる切り離し部分３に、内容物の飛散、及び蓋１に付着した内容物が手などに付着することを防止するシート４を取り付け、シート４を格納する格納スペース８を容器本体２に設けた、又は取り付けた容器。
【発明の効果】
【０００５】  本発明では、容器の開封時に飛散する内容物をシート４で受け止めることで内容物の飛散を防止し、さらに開封時にシート４が蓋１に被さることで蓋１に付着した内容物が手などに付着することを防止することが期待できる。
また、シート４が容器の開封時以外に折れ曲がることを防止する出っ張り５を容器本体２に設けたものは、外からの力などによりシート４が容器の開封時以外に折れ曲がることによる、飛散する内容物をシート４で受け止めることで内容物の飛散を防止する効果が減じること、及び開封時にシート４が蓋１に被さることで蓋１に付着した内容物が手などに付着することを防止する効果が減じることを防止することが期待できる。
また、シート４を格納する格納スペース８を容器本体２に設けたものは、シート４を格納スペース８に格納することによりシート４を清潔に保ち衛生性を高めることが期待できる。
【発明を実施するための最良の形態】
【０００６】
【実施例１】
【０００７】本発明の形態には、図１のようにカップ部分９とフランジ部分１０からなる、内容物を入れる容器本体２に、容器本体２のフランジ部分１０から切り離せる切り離し部分３と一体となった蓋１を、容器本体２のフランジ部分１０に容器本体２に入った内容物を容器内部６に密閉するように剥離可能な状態で貼り付け、切り離し部分３にシート４を容器本体２のフランジ部分１０の蓋１の反対側の部分に沿わせるように接着させたもので、蓋１と容器本体２のフランジ部分１０を接着する、糊付け部分７が、図３、図４のように、容器を開封するときに最初に剥離させる部分付近において外側に鋭く伸びており、その先端の内側と、この点に最も近い、容器内部６に接する、カップ部分９とフランジ部分１０の境界に、ある程度の距離を持たせたものがある。ここで、蓋１としては力により容易に折れ曲がるものを用いる。具体例としてはアルミニウムのシートが挙げられる。
この容器を開封するには、片手で容器本体２を持ち、もう一方の手は、切り離し部分３と、蓋１の切り離し部分３との接着部分、及びシート４の切り離し部分との接着部分をつかみ、切り離し部分３を容器本体２のフランジ部分１０から切り離し、図３のようにシート４で容器内部６を覆うように開封する。
ここで、シート４としては自然に折れ曲がらない程度には硬く、且つ容器の開封時に邪魔にならない程度に軟らかいもので、さらに開封時以外に外からの力で折り曲げられることを防止するため、摩擦が少なく、また、開封時に違和感を覚えないように色が透明のものがよいと思われる。具体例としては、ポリプロピレンの包装フィルムなどが挙げられる。
この形態は一般に店頭で売られているコーヒー用クリームのポーションなど、容器が外袋に入れられた状態で保管される場合等に適切と思われる。なぜなら、外袋に入れられた状態で保管されていれば、シート４が容器の外に出ていることによって衛生面が損なわれる心配も特にないと思われるからである。また、コーヒーショップなどで容器が蓋のない箱に入れられてある場合については、蓋つきの箱に入れれば問題ないものと思われる。
また、コーヒー用クリームのポーションを開ける際、蓋１についた内容物が手に付着しやすい原因の一つは蓋１と容器本体２のフランジ部分１０を接着する、糊付け部分７が、恐らくは開封のしやすさのために、一般的に、図３、図４のように、容器を開封するときに最初に剥離させる部分付近において外側に鋭く伸びており、その先端の内側と、この点に最も近い、容器内部６に接する、カップ部分９とフランジ部分１０の境界に、ある程度の距離が出来ていることによると思われる。これにより、図１のようにシート４をフランジ部分１０に沿わせるように接着させるだけでも、図３、図４のように、容器の開封時に、シート４がフランジ部分１０の糊付け部分７及び蓋１の糊付け部分７の容器を開封するときに最初に剥離させる部分付近を覆うことが可能となり、内容物の飛散、及び蓋１に付着した内容物が手などに付着することを防止する効果も期待できるものと思われる。
ここで、シート４がない状態での蓋１に付着した内容物の手などへの付着の防止については、フランジ部分１０を広くし、容器密閉時において、糊付け部分７の容器を開封するときに最初に剥離させる、外側に伸びている部分の先端の外側と切り離し部分３の距離を長くとることも考えられるが、このようにすると開封時に手がぶれやすくなり、開けやすさが損なわれると思われる。
ここで、本形態について、容器密閉時において、糊付け部分７の、容器を開封するときに最初に剥離させる、外側に伸びている部分の先端の外側と切り離し部分３の距離を長くとりすぎず、フランジ部分１０の糊付け部分７の、容器を開封するときに最初に剥離させる、外側に伸びている部分の先端の内側と、この点に最も近い、容器内部６に接する、カップ部分９とフランジ部分１０の境界の距離を長くとると、内容物の飛散防止と内容物の手などへの付着防止の効果を、容器の開けやすさを極力損なわない状態で高めることが出来ると思われる。なぜならば、本形態におけるこれらの効果は、主に、フランジ部分１０の糊付け部分７の、容器を開封するときに最初に剥離させる、外側に伸びている部分の先端の内側と、この点に最も近い、容器内部６に接する、カップ部分９とフランジ部分１０の境界の距離によって決まると思われるからである。
また、シート４を切り離し部分３に容器本体２のフランジ部分１０の蓋１の反対側の部分に沿わせるように接着させることで、見た目に違和感を覚えにくいのも利点の一つと思われる。
また、実施例３のように糊付け部分７が二重になっていないため開けやすいことも利点の一つと思われる。
また、実施例２、実施例３と比べて構造が簡単で製作コストがかかりにくいのも利点の一つと思われる。
【実施例２】
【０００８】  本発明の他の形態には、実施例１の形態において、図２のように容器本体２のフランジ部分１０にシート４の周りの一部を覆うように出っ張り５を設けたものがある。
この容器の開封の仕方は実施例１と同様である。
この形態は一般に店頭で売られているコーヒー用クリームのポーションなど、多数の容器が外袋に煩雑に入れられている場合等に適切と思われる。なぜなら、この場合には出っ張り５がなければ外袋に入れられた他の容器によってシート４が折り曲げられ、内容物の飛散防止及び蓋１に付着した内容物の手などへの付着の防止の効果が減じる可能性が高いものと思われるからである。また、一つ一つの容器が小袋に入れられている場合であっても、小袋から容器を取り出す際に手でシート４を折り曲げてしまう可能性があるため、この形態は有効と思われる。
【実施例３】
【０００９】  本発明の他の形態には、図５のように、容器本体２から切り離せる切り離し部分３付近に格納スペース８を設けた、内容物を入れる容器本体２に、切り離し部分３と一体となり、その付近でシート４とも一体となった蓋１を、容器本体２に入った内容物を容器内部６に、シート４を格納スペース８に別々に密閉するように剥離可能な状態で貼り付けたものがある。ここで、蓋１としては実施例１と同様に力により容易に折れ曲がるものを用いる。
この容器を開封するには、片手で容器本体２を持ち、もう一方の手は、切り離し部分３と、蓋１の切り離し部分３との接着部分をつかみ、切り離し部分３を容器本体２のフランジ部分１０から切り離し、シート４で容器内部６を覆うように開封する。
ここで、シート４は、開封時に違和感を覚えないように色が透明のものがよいと思われる。
この形態は容器に外袋などがない状態で食品を保管する場合に適切と思われる。なぜならシート４が容器本体２の格納スペース８に密閉されているため、外袋などがなくてもシート４の衛生性を保つことが期待できるからである。
また、実施例１、実施例２に比べてシート４を大きくとりやすく、内容物の飛散、及び蓋１に付着した内容物が手などに付着することを防止する効果も得やすいのも利点の一つと思われる。
【図面の簡単な説明】
【００１０】
【図１】  本発明の実施例１の形態の斜視図。
【図２】  本発明の実施例２の形態を下方から見た図。
【図３】  本発明の実施例１、実施例２の形態の開封時の内容物の飛散防止の状態を示した図。
【図４】  本発明の実施例１、実施例２の形態の開封時の内容物の手などへの付着防止の状態を示した図。
【図５】  本発明の実施例３の形態の開封時の内容物の飛散防止、及び手などへの付着防止の状態を示した図。
【図６】  本発明の実施例３の形態の斜視図
【符号の説明】
【００１１】  １    蓋
２    容器本体
３    切り離し部分
４    シート
５    出っ張り
６    容器内部
７    糊付け部分
８    格納スペース
９    カップ部分
１０  フランジ部分
【図１】
2014084174.tif 000003
【図２】
2014084174.tif 000004
【図３】
2014084174.tif 000005
【図４】
2014084174.tif 000006
【図５】
2014084174.tif 000007
【図６】
2014084174.tif 000008